(57)【要約】【課題】  通行する利用者、携帯品等がドア体とドア枠壁との間に挟まれても、怪我・損傷等を負うことがない安全性に優れた回転ドア装置を提供する。【解決手段】  回転ドア本体１の各ドア板３の外周縁部に弾力回避部１０を配装する。この弾力回避部１０は、ドア板３における上下の上下框部４の相互で対向して上下に設けた軸受部１１Ａ，１１Ｂと、この上下の軸受部１１Ａ，１１Ｂ夫々に回転自在に支承した上下の軸体１２Ａ，１２Ｂと、この上下の軸体１２Ａ，１２Ｂ相互間に連繋したバネ軸１３と、バネ軸１３を覆い、軸体１２Ａ，１２Ｂを介して回転自在にして軸受部１１Ａ，１１Ｂ相互間に支承した撓曲自在な緩衝体１４とを備えて成る。また、同構造の外部弾力回避支柱２０を出入り口となる内外のドア枠壁Ｗの端縁外方位置に左右で立脚状にして配置する【選択図】      図３
2005351018.tif 000002
【特許請求の範囲】
【請求項１】
建築構造物の出入り口に設けられ、湾曲している左右のドア枠壁の内周面に沿って旋回する複数のドア板を備えることで、ドア枠壁内で回転する回転ドア本体を備えた回転ドア装置であって、回転ドア本体の各ドア板の外周縁部には弾力回避部を配装してあり、この弾力回避部は、ドア板における上下の上下框部の相互で対向して上下に設けられた軸受部と、この上下の軸受部夫々に回転自在に支承された上下の軸体と、この上下の軸体相互間に連繋されたバネ軸と、バネ軸を覆い、軸体を介して回転自在にして軸受部相互間に支承された撓曲自在な緩衝体とを備えて成ることを特徴とする回転ドア装置。
【請求項２】
建築構造物の出入り口に設けられ、湾曲している左右のドア枠壁の内周面に沿って旋回する複数のドア板を備えることで、ドア枠壁内で回転する回転ドア本体を備えた回転ドア装置であって、左右のドア枠壁内で回転する回転ドア本体の外周縁からの外方位置で、かつドア枠壁の端縁位置の外方位置に若干の間隙を設定して立脚状に配置されており、この外部弾力回避支柱は、天井、床の相互で対向して上下に設けられた軸受部と、この上下の軸受部夫々に回転自在に支承された上下の軸体と、この上下の軸体相互間に連繋されたバネ軸と、バネ軸を覆い、軸体を介して回転自在にして軸受部相互間に支承された撓曲自在な緩衝体とを備えて成ることを特徴とする回転ドア装置。
【請求項３】
建築構造物の出入り口に設けられ、湾曲している左右のドア枠壁の内周面に沿って旋回する複数のドア板を備えることで、ドア枠壁内で回転する回転ドア本体を備えた回転ドア装置であって、回転ドア本体の各ドア板の外周縁部には弾力回避部を配装してあり、この弾力回避部は、ドア板における上下の上下框部の相互で対向して上下に設けられた軸受部と、この上下の軸受部夫々に回転自在に支承された上下の軸体と、この上下の軸体相互間に連繋されたバネ軸と、バネ軸を覆い、軸体を介して回転自在にして軸受部相互間に支承された撓曲自在な緩衝体とを備えて成り、また、左右のドア枠壁内で回転する回転ドア本体の外周縁からの外方位置で、かつドア枠壁の端縁位置の外方位置に若干の間隙を設定して立脚状に配置されており、この外部弾力回避支柱は、天井、床の相互で対向して上下に設けられた軸受部と、この上下の軸受部Ｂ夫々に回転自在に支承された上下の軸体と、この上下の軸体相互間に連繋されたバネ軸と、バネ軸を覆い、軸体を介して回転自在にして軸受部相互間に支承された撓曲自在な緩衝体とを備えて成ることを特徴とする回転ドア装置。
【発明の詳細な説明】
【技術分野】
【０００１】
本発明は、ビルその他の建築構造物、特に屋内側の気圧・換気その他が比較的に一定に保持される必要がある高層の建築構造物における出入り口に設置されるのに好適で、しかも通行者等の安全が考慮され、人身・物損事故等が未然に防止されるようにした回転ドア装置に関する。
【背景技術】
【０００２】
従来、この種の回転ドアは、特許文献１に示すように、垂直状に設けられている回転軸（支軸）の周囲に等間隔に、かつ、その回転軸の長手方向に沿って複数枚例えば３枚又は４枚のドア体が放射状に取付けられて構成されていると共に、これらのドア体が回転する周囲には、ドア体の外側縁と摺接する位置を保って湾曲しているドア枠壁が設けられている。そして、そのドア枠壁には、回転軸の中心位置を通る直線を中心にして互いに隣接する２個のドア体の外側（回転軸と反対側）の間隔と等しい所定幅の開口部が、出入り口の内外に向けて開放させることで通過者の通行用の２個の出入り口開口として設けられている。
【０００３】
このような構成からなる回転ドアにおいて、回転軸が手動又は自動で回転し、互いに隣接する２個のドア体間が一方の出入り口開口に一致したときに、通過する利用者はその２個のドア体相互間の出入り空間内に入ることができる。そして、その２個のドア体間の出入り空間内に入った利用者は、回転ドアの回転と共に周回移動し、その２個のドア体間の出入り空間が他方の出入り口開口に一致したときに、利用者はその２個のドア体相互間の出入り空間内から出ることができる。したがって、一方の出入り口開口が建物の外側に位置し、他方の出入り口開口が建物の内側に位置しているときは、利用者は、一方の出入り口開口、回転ドア及び他方の出入り口開口を経て外側から建物の中に入ることができ、また、利用者は、他方の出入り口開口、回転ドア及び一方の出入り口開口を経て建物の中から外に出ることができる。
【０００４】
このような回転ドアは、建物の内部と外部との環境を空間的に隔てるのに優れていて、冷暖房の効いた建築構造物の室内の空気と建物外の空気とを遮断できる特長を有している。したがって、回転ドアは、屋外の高温の空気又は冷たい空気が屋内に入るのを効果的に防止できるのであり、また、超高層ビルや大きな吹き抜け空間のアトリウム等での出入り口付近における空気圧の差によって発生する突風を効果的に防止できるのである。
【特許文献１】特開２００３−２４７３７５号公報
【発明の開示】
【発明が解決しようとする課題】
【０００５】
したがってドア体が自動で駆動される従来の回転ドア装置は、冷暖房効果を高めることができる等の優れた特長を有している反面、回転軸に取付けられるドア体は、その正面形状が縦長の長方形で、かつ所定の厚さを有するガラス材製等の剛体を主材として構成されて成るから、ドア体自体が重量的に嵩張っていることとも相俟ち、回転しているドア体とドア枠壁との間に利用者が挟まれ、ドア体自体の回転駆動がそのまま続くと人身事故につながるおそれがあった。
【０００６】
このような事故を防止するために、ドア体とドア枠壁との間に利用者等が挟まったことを検出する集電式や反射式等の視覚センサの如きセンサを設け、センサが事故時の利用者を検出したときに回転ドア装置の駆動を停止するようにしている。しかし、センサが故障していたり、あるいはセンサの検出範囲の設定によっては、利用者例えば子供（小児）を検出できなかったりして事故を未然に防止することができないこともあり、また挟まれた状態を直接に検出しないために事故回避には不確実なものでもあった。
【０００７】
そこで、本発明は上述したような従来存した諸事情に鑑み創出されたもので、利用者（通行者）が回転するドア体とこれを囲繞するドア枠壁との間に利用者自身、その携帯品等が挟まれることがないようにし、またもし挟まれることがあっても、簡単、確実にそこから脱出あるいは抜き出すことができると共に、ドア体の縁部等の撓みによって利用者、携帯品等を損傷させず、利用者が怪我を負うことのないようにした安全性に優れた回転ドア装置を提供することにある。
【課題を解決するための手段】
【０００８】
上記目的を達成するため本発明にあっては、建築構造物の出入り口に設けられ、湾曲している左右のドア枠壁Ｗの内周面に沿って旋回する複数のドア板３を備えることで、ドア枠壁Ｗ内で回転する回転ドア本体１を備えた回転ドア装置であって、回転ドア本体１の各ドア板３の外周縁部には弾力回避部１０を配装してあり、この弾力回避部１０は、ドア板３における上下の上下框部４の相互で対向して上下に設けられた軸受部１１Ａ，１１Ｂと、この上下の軸受部１１Ａ，１１Ｂ夫々に回転自在に支承された上下の軸体１２Ａ，１２Ｂと、この上下の軸体１２Ａ，１２Ｂ相互間に連繋されたバネ軸１３と、バネ軸１３を覆い、軸体１２Ａ，１２Ｂを介して回転自在にして軸受部１１Ａ，１１Ｂ相互間に支承された撓曲自在な緩衝体１４とを備えて成るものである。
また、同じく、左右のドア枠壁Ｗ内で回転する回転ドア本体１の外周縁からの外方位置で、かつドア枠壁Ｗの端縁位置の外方位置に若干の間隙を設定して外部弾力回避支柱２０が立脚状に配置されており、この外部弾力回避支柱２０は、天井、床の相互で対向して上下に設けられた軸受部２１Ａ，２１Ｂと、この上下の軸受部２１Ａ，２１Ｂ夫々に回転自在に支承された上下の軸体２２Ａ，２２Ｂと、この上下の軸体２２Ａ，２２Ｂ相互間に連繋されたバネ軸２３と、バネ軸２３を覆い、軸体２２Ａ，２２Ｂを介して回転自在にして軸受部２１Ａ，２１Ｂ相互間に支承された撓曲自在な緩衝体２４とを備えて成るものである。
【０００９】
以上のように構成された本発明に係る回転ドア装置において、ドア板３の外周縁部に配装された弾力回避部１０は、ドア枠壁Ｗとの間で例えば通行者自身あるいはその携帯品等が挟まれたとき、弾力回避部１０の緩衝体１４が窪み、あるいは撓み、またドア枠壁Ｗ側からの付加される外力を回避して被挟持物等に対する外力の付加を阻止し、それを緩衝させる。その阻止、緩衝と共に、ドア枠壁Ｗとの間で被挟持物等が挟まることがあっても、緩衝体１４自体が回転することでドア板３の内方側あるいは外方側に被挟持物等を抜け出させる。
弾力回避部１０において、緩衝体１４自体は窪み、また内部に存するバネ軸１３が撓むことと相俟ち緩衝体１４自体も撓み、上下の軸受部１１Ａ，１１Ｂに回転自在に支承されている軸体１２Ａ，１２Ｂによって、これに支持された緩衝体１４が回転し、ドア枠壁Ｗとの間で挟まれた被挟持物等を抜け出させる。
また、ドア枠壁Ｗの端縁位置で若干の間隙を設定してドア枠壁Ｗ外方位置に配置した外部弾力回避支柱２０は、弾力回避部１０と同様に窪み、あるいは撓み、出入り口内に進入する以前での通行者、携帯品等のドア枠壁Ｗとの挟持等を未然に阻止させる。更には外部弾力回避支柱２０においての緩衝体２４において、それ自体の窪み、撓み等は弾力回避部１０における緩衝体１４と同様に作用する。
【発明の効果】
【００１０】
本発明は以上のように構成されているため、建築構造物の出入口において内外で通行する利用者（通行者）が回転する回転ドア本体１とこれを囲繞するドア枠壁Ｗとの間に利用者自身、その携帯品等が挟まれることがあっても、回転ドア本体１における弾力回避部１０、あるいはドア枠壁Ｗ外に配置した外部弾力回避支柱２０が窪みあるいは撓むことで、通行者が怪我をしたり、その他の被挟持物が損傷するようなことがなく、しかも挟まれても簡単、確実にそこから脱出あるいは抜き出すことができる。またドア枠壁Ｗの外方に配置の外部弾力回避支柱２０は、回転する回転ドア本体１によって通行者、携帯品等がドア枠壁Ｗとの間で挟まれるのを跳ね返すようにすることで未然に防止し、またドア枠壁Ｗと回転ドア本体１との間で通行者・携帯品等が挟まれることがあっても、外部弾力回避支柱２０の緩衝体２４が回転することで脱出、あるいは抜け出すことができるのである。
【００１１】
すなわちこれは、本発明において、回転する回転ドア本体１に設けた弾力回避部１０、ドア枠壁Ｗの外側に設けた外部弾力回避支柱２０において、上下に設けられた軸受部１１Ａ，１１Ｂ、２１Ａ，２１Ｂと、この上下の軸受部１１Ａ，１１Ｂ、２１Ａ，２１Ｂ夫々に回転自在に支承された上下の軸体１２Ａ，１２Ｂ、２２Ａ，２２Ｂと、この上下の軸体１２Ａ，１２Ｂ、２２Ａ，２２Ｂ相互間に連繋されたバネ軸１３、２３と、バネ軸１３、２３を覆い、軸体１２Ａ，１２Ｂ、２２Ａ，２２Ｂを介して回転自在にして軸受部１１Ａ，１１Ｂ、２１Ａ，２１Ｂ相互間に支承された撓曲自在な緩衝体１４、２４とを備えて成るからであり、これによって、緩衝体１４、２４自身による窪み、撓み作用で通行者に対する安全、被挟持物に対する損傷防止等を図ることができる。
【００１２】
しかも弾力回避部１０は、回転する回転ドア本体１のドア板３における外側縁である上下框部４相互間に設けられるから、ドア板３がドア枠壁Ｗの内周面に沿って回転移動して旋回するときのドア枠壁Ｗとの間に通行者、携帯品等が挟まれることがあっても、緩衝体１４自体の回転と共に移動するドア板３の進行方向の前方あるいは後方のいずれにでも脱出、あるいは抜け出すことができる。更には通行者、携帯品等が挟まれることがあっても緩衝筒体１４自体の緩衝作用で、通行者等が怪我をしたり、携帯品等が損傷されることも少ないのである。
【００１３】
また外部弾力回避支柱２０は、ドア枠壁Ｗの外方に位置して配置されることで、回転ドア本体１における出入り口の左右で設けられるから、出入り口に進入する際の誤った進行で回転ドア本体１のドア板３で押され、外部弾力回避支柱２０との間に挟まれることがあっても、緩衝体２４自体の窪みあるいは撓みによって怪我をしたり、損傷されたりすることがない。しかも回転ドア本体１の進行に伴い外部弾力回避支柱２０自体に当接することで跳ね返され、誤って進入するのを未然に防止でき、もし無理な姿勢で進入したとしても、外部弾力回避支柱２０自体の窪み、撓みで安全に処理されるのである。
【００１４】
尚、ドア板３に設けた弾力回避部１０、ドア枠壁Ｗの外方に配置した外部弾力回避支柱２０夫々によっても危険性を回避することは可能であっても、弾力回避部１０及び外部弾力回避支柱２０両者の併置によって一層の安全性を図ることができる。
【００１５】
更には、通行者、携帯品等が挟まれたことで直接に緩衝体１４，２４の窪み、撓みが生じるから、これらを直接に検知する触覚センサの採用で、従来のように例えば視覚センサ等による間接的な検知による場合の不確実性を排除でき、例えば子供等の比較的に検出が困難な小さな対象物でも確実に検知し、作動するのである。
【００１６】
また本発明に係る弾力回避部１０、外部弾力回避支柱２０等は既設の回転ドア装置にも大きな改造を要することなく、簡単に取付設置でき、既設の回転ドア装置における事故防止にも大きく役立つものである。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下、本発明を実施するための最良の形態を図面に基づいて説明すると、図において示される符号１は回転ドア本体であり、この回転ドア本体１は、建築構造物における出入り口の壁部分等に連続されて、左右で対峙状にして設置されている左右のドア枠壁Ｗの内側で手動あるいは自動で回転されるように設けられている。またこの回転ドア本体１は、ドア枠壁Ｗの内周側面に回転ドア本体１自体の外周縁面が接触しないようにされることが望ましく、僅かな間隙を保持した状態で、ドア枠壁Ｗ内で回転駆動するようにしてある。
【００１９】
この回転ドア本体１自体は、例えば天井内に設けられる駆動機構Ｍによって回転駆動する回転ドア軸体２に、例えば４分割構成となるように４枚のドア板３を等角度間隔で放射状に固定して成り、各ドア板３の外周縁部には弾力回避部１０を配装してある。ドア板３は、例えば回転ドア軸体２に連結させて上下縁部に配したステンレス材等の金属材製の上下框部４相互間に所定肉厚の矩形状のガラス板や合成樹脂板等の透明又は半透明の素材から成るドア材５を固定支持して成り、隣接するドア板３相互間では通行する利用者等が十分に出入りできる容積をドア枠壁Ｗとの間で確保できるようにしてある。尚、駆動機構Ｍは、図示を省略したがモータ、減速機、クラッチ及び制動機（ブレーキ）から構成されていて、利用者の右側通行に対応させてモータの回転力で回転ドア本体１を半時計方向に所定の回転速度で回転駆動させるように構成されている。また、図示しないセンサによって、例えばドア板３とドア枠壁Ｗとの間に物体（利用者）が挟まれたこと、すなわちこの挟まれたことで後述する緩衝筒体１４，２４の撓んだとき等、その撓み等を検出する触覚センサの作動によって、モータの回転力の伝達を完全に切断できるように成っていると共に、制動機によって回転ドア軸体２の回転を瞬時に停止できるように構成されている。また、建物の出入口の利用者の通過方向が左側通過の場合は、回転ドア軸体２の回転方向は時計方向の回転とされる。
【００２０】
弾力回避部１０は、ドア板３における上下の上下框部４の外縁部相互間に緩衝体である後述の緩衝体１４を回転自在、撓曲自在にして装着して成る。すなわち、上下框部４の相互で対向して上下に設けられた軸受部１１Ａ，１１Ｂと、この上下の軸受部１１Ａ，１１Ｂ夫々に回転自在に支承された上下の軸体１２Ａ，１２Ｂと、この上下の軸体１２Ａ，１２Ｂ相互間に連繋されたバネ軸１３と、バネ軸１３を覆い、軸体１２Ａ，１２Ｂを介して回転自在にして軸受部１１Ａ，１１Ｂ相互間に支承された撓曲自在な緩衝体１４とを備えて成る。
【００２１】
軸受部１１Ａ，１１Ｂは、上框部４の下面に、また下框部４の上面に夫々設けられており、上軸受部１１Ａで支承する上軸体１２Ａは上軸受部１１Ａから抜脱、落下されることなく全体荷重を支持するものとなっており、下軸受部１１Ｂで支承する下軸体１２Ｂは緩衝体１４が撓曲するときに上下にスライドすることが許容され、そのスライドによっても下軸受部１１Ｂから抜脱しないようにしてある。また夫々で軸受部１１Ａ，１１Ｂに対して軸体１２Ａ，１２Ｂは例えばボールベアリング等を介在させることで左右のいずれの方向にも自由に円滑に回転自在になるようにしてあり、ひいては外力等による緩衝体１４自体の回転作動が自由に得られるようにしてある。尚、上軸受部１１Ａは下軸受部１１Ｂに比し、その長さ（高さ）において長く形成されていて弾力回避部１０自体の一層の支持安定性が図れるようにし、また下軸受部１１Ｂは可能な限り短く（低く）して、弾力回避部１０自体の下部においての物体等を挟むような場合での撓曲性を極力防止するようにしておくとよい。
【００２２】
緩衝体１４は例えば柔軟な弾力性に富む筒状のスポンジゴム材にて成り、内部の空洞部分にバネ軸１３が収納され、外部からの衝撃、外力、押圧力その他によって緩衝体１４自身が部分的に窪み、またバネ軸１３と共に撓曲するのであり、これらの窪み作用、撓曲作用等で回転ドア本体１とドア枠壁Ｗとの間に挟まれた物体等に対する衝撃等を緩和するようになっている。この緩衝体１４自体は、例えば内部は柔軟性に富むスポンジ材とし、外表面は非透水性質のゴム材によって被装することで、雨水等によっても浸水されないように配慮しておく。尚、緩衝体１４自体の外径はほぼ３０〜５０ｃｍ程度とすることが予定されるも、必要があればそれ以下、あるいはそれ以上の外径に設定されることもある。
【００２３】
一方、左右のドア枠壁Ｗ内で回転する回転ドア本体１の外周縁からの外方位置で、かつドア枠壁Ｗの端縁位置の外方位置に若干の間隙を設定して、外部弾力回避支柱２０が出入り口となる内外のドア枠壁Ｗの端縁外方位置の、左右で立脚状にして配置されている。この外部弾力回避支柱２０は、前記の弾力回避部１０とほぼ同構造のものとしてあり、天井、床の相互で対向して上下に設けられた軸受部２１Ａ，２１Ｂと、この上下の軸受部２１Ａ，２１Ｂ夫々に回転自在に支承された上下の軸体２２Ａ，２２Ｂと、この上下の軸体２２Ａ，２２Ｂ相互間に連繋されたバネ軸２３と、バネ軸２３を覆い、軸体２２Ａ，２２Ｂを介して回転自在にして軸受部２１Ａ，２１Ｂ相互間に支承された撓曲自在な緩衝体２４とを備えて成る。尚、これらの軸受部２１Ａ，２１Ｂ、軸体２２Ａ，２２Ｂ、バネ軸２３、緩衝体２４等の配置関係は前記の弾力回避部１０における軸受部１１Ａ，１１Ｂ、軸体１２Ａ，１２Ｂ、バネ軸１３、緩衝体１４等の配置関係とほぼ同様なので、その詳細な説明は省略される。ただ、この外部弾力回避支柱２０は弾力回避部１０の外径に比しやや大径とされるのが通常である。
【００２４】
そしてこの外部弾力回避支柱２０における緩衝体２４の外周面には、回転駆動する回転ドア本体１における各ドア板３の弾力回避部１０の外周面は接触しないようにされることが望ましく、僅かな間隙が保持されるものとして、その位置が設定されている。またドア枠壁Ｗの端縁と外部弾力回避支柱２０の外周面との間には僅かな間隙が設定されており、ただ、この間隙は正面から見ると外部弾力回避支柱２０自体によって隠蔽されていてドア枠壁Ｗに連続しているように外観されるようにしてある。
【００２５】
またこれらの弾力回避部１０、外部弾力回避支柱２０には、これらの撓曲、窪み等が生じたときにそれらを検出するセンサ、例えば触覚・感圧センサを付設してあり、そのセンサによる検出で駆動機構Ｍを停止させ、回転ドア本体１の回転駆動を停止するようにしてある。
【００２６】
尚、本発明に係る回転ドア装置において、回転ドア本体１は、駆動機構Ｍによって回転駆動する自動式のものとして説明してあるも、これを手動式とすることも可能であることは、勿論である。
【００２７】
次にこれの使用の一例を説明すると、例えば高層の建築構造物における出入り口に設置され、円周上に設置されるドア枠壁Ｗの内部で駆動機構Ｍによって回転ドア本体１を回転駆動させるのであり、出入りする通行者は内外で開放されているドア枠壁Ｗ相互の間隙に回転ドア本体１の出入り空間が合致したときに出入りし、また回転ドア本体１の回転駆動に伴いドア枠壁Ｗに沿って移動して一方の出入り口から入り、他方の出入り口から出るのである。
【００２８】
このとき、通行者自身が例えば入るときのタイミングを間違えると、先ず出入り口の外部弾力回避支柱２０に衝突することになっても、この外部弾力回避支柱２０が撓み、またその緩衝作用で弾かれ、また回転ドア本体１と外部弾力回避支柱２０との間に挟まれても弾力回避部１０、外部弾力回避支柱２０等が撓み、また窪むことで人体に対する物理的拘束、傷害の発生等を回避し、更に弾力回避部１０の緩衝体１４、外部弾力回避支柱２０の緩衝体２４夫々の回転で脱出し、また物品等を抜き出せばよい。
【００２９】
また回転ドア本体１の回転駆動に伴いドア枠壁Ｗとの間に挟まれても、回転ドア本体１における弾力回避部１０の撓み、窪み等によって同様に人体に対する物理的拘束、傷害の発生等を回避し、更に弾力回避部１０の緩衝体１４の回転で脱出し、また物品等を抜き出せばよい。
【図面の簡単な説明】
【００３０】
【図１】本発明を実施するための最良の形態を示す平面図である。
【図２】同じくドア体における弾力回避部の一部省略の側断面図である。
【図３】同じく出入り口における弾力回避支柱の一部省略の側断面図である。
【図４】同じく一部省略の正面図である。
【図５】同じく回避時の要部平面図である。
【図６】同じく概略斜視図である。
【符号の説明】
【００３１】
Ｍ…駆動機構                            Ｗ…ドア枠壁
１…回転ドア本体                        ２…回転ドア軸体
３…ドア板                              ４…上下框部
５…ドア材
１０…弾力回避部                        １１Ａ，１１Ｂ…軸受部
１２Ａ，１１Ｂ…軸体                    １３…バネ軸
１４…緩衝体ジ
２０…外部弾力回避支柱                  ２１Ａ，２１Ｂ…軸受部
２２Ａ，５１Ｂ…軸体                    ２３…バネ軸
２４…緩衝体
【図１】
2005351018.tif 000003
【図２】
2005351018.tif 000004
【図３】
2005351018.tif 000005
【図４】
2005351018.tif 000006
【図５】
2005351018.tif 000007
【図６】
2005351018.tif 000008